(57)【要約】【課題】使用に便利で、安全性が高い園芸用バリカンを提供する。【解決手段】園芸用バリカン１０は、原動機を収容する本体１２と、本体１２の前面から前側に延出しているブレードアセンブリ２００と、本体１２に配置されかつ使用者によって把持されるグリップとを備える。グリップは、本体１２の前部に配置される前グリップ１９と前グリップ１９の後側に配置される後グリップ１８とを含む。ブレードアセンブリ２００は、少なくとも１つのブレードが往復動作可能な２つのブレードを備え、原動機で少なくとも１つのブレードが往復動作するように駆動する。前グリップ１９とブレードアセンブリ２００との間にチップガード３００が位置する。本体１２にブレードプロテクタ５００が配置される。ブレードプロテクタ５００は、平面視の投影においてブレードアセンブリ２００の少なくとも一部を覆う。【選択図】図４
2018033446.tif 000002
【特許請求の範囲】
【請求項１】
園芸用バリカンであって、
原動機を収容する本体と、
前記本体の前面から前側へ延出しているブレードアセンブリと、
前記本体に配置され、使用者によって把持されるグリップを有し、
前記グリップは、前記本体の前部に配置される前グリップと前グリップの後側に配置される後グリップを含み、あるいは前記グリップは、前記後グリップを含み、前記前グリップを含まず、
前記ブレードアセンブリは、少なくとも１つのブレードが往復動作可能な２つのブレードを備え、前記原動機で前記少なくとも１つのブレードが往復動作するように駆動し、
前記グリップが前記前グリップと前記後グリップとを含む場合、前記前グリップと前記ブレードアセンブリとの間にチップガードが位置し、
前記グリップが前記後グリップを含み、前記前グリップを含まない場合、前記本体と前記ブレードアセンブリとの間にチップガードが位置し、
前記本体又は前記チップガードにブレードプロテクタが配置され、前記ブレードプロテクタは、平面視の投影において前記ブレードアセンブリの少なくとも一部を覆う園芸用バリカン。
【請求項２】
請求項１に記載の園芸用バリカンであって、
前記ブレードアセンブリは、前記少なくとも１つのブレードが前記本体の長手方向に往復動作する第１種のブレードアセンブリと、前記少なくとも１つのブレードが前記本体の長手方向と直交する幅方向に往復動作する第２種のブレードアセンブリとを備え、
前記第１種のブレードアセンブリと前記第２種のブレードアセンブリが交換可能に前記本体に取付けられる園芸用バリカン。
【請求項３】
請求項２に記載の園芸用バリカンであって、
前記第２種のブレードアセンブリを前記本体に取付けた場合、平面視の投影において前記ブレードプロテクタの前端が前記第２種のブレードアセンブリの前端よりも前方に位置する園芸用バリカン。
【請求項４】
請求項１〜３のいずれか１つに記載の園芸用バリカンであって、
前記ブレードプロテクタは、前記本体と前記チップガードから独立した部材であって、前記本体又は前記チップガードに着脱可能に取付けられる園芸用バリカン。
【請求項５】
請求項１〜３のいずれか１つに記載の園芸用バリカンであって、
前記ブレードプロテクタは、中央に貫通部が設けられた板状の保護プレートを有し、
前記ブレードプロテクタは、前記チップガードが前記貫通部を貫通した状態で前記本体に配置される園芸用バリカン。
【請求項６】
請求項５に記載の園芸用バリカンであって、
前記ブレードプロテクタが係止部を有し、
前記本体が前記係止部と係合可能な係止溝を有し、前記係止部を前記係止溝に沿ってスライドさせることで前記係止部と前記係止溝が係合し、前記ブレードプロテクタが前記本体に取付けられる園芸用バリカン。
【請求項７】
請求項６に記載の園芸用バリカンであって、
前記本体の両側部に係止溝が形成され、
前記ブレードプロテクタは、前記係止溝に係合する２つの係止部と、前記保護プレートの上面から突出する把持部を有し、
前記ブレードプロテクタは、前記把持部に力を付与することで、前記２つの係止部の間の距離が広がるように変形する園芸用バリカン。
【請求項８】
請求項１〜３のいずれか１つに記載の園芸用バリカンであって、
前記ブレードプロテクタは、板状の保護プレートと係止部とを有し、
前記チップガードの両側部又は前記本体の両側部には、前記係止部に係合する被係止部が設けられている園芸用バリカン。
【請求項９】
請求項２又は３に記載の園芸用バリカンであって、
前記ブレードプロテクタは、前記第２種のブレードアセンブリのブレードプロテクトカバーを構成する園芸用バリカン。
【請求項１０】
請求項１〜３のいずれか１つに記載の園芸用バリカンであって、
前記ブレードプロテクタの前端に補強リブが設けられている園芸用バリカン。
【請求項１１】
園芸用バリカンであって、
原動機を収容する本体と、
前記本体の前面から前側へ延出し、かつ前記原動機の出力によって相対的に往復動する２つのブレードを備えるブレードアセンブリと、
前記本体から延出して前記本体の前面と前記ブレードアセンブリとの間を遮蔽するチップガードと、
前記本体又は前記チップガードに着脱可能に取付けられ、平面視の投影において前記チップガードよりも前方において前記ブレードアセンブリの少なくとも一部を覆うブレードプロテクタを有する園芸用バリカン。
【発明の詳細な説明】
【技術分野】
【０００１】
本発明は園芸用バリカンに関し、例えば芝生、生垣等を刈り込むときに、必要性に応じて２種類のブレードアセンブリを交換して使用できる手持ち型園芸用バリカンに関する。
【背景技術】
【０００２】
特許文献１には園芸用バリカンが開示されている。園芸用バリカンは、生垣用ブレードアセンブリと、芝生用ブレードアセンブリと、これら２種類のブレードアセンブリのうちのいずれかを取付け可能な本体を備える。各種立ち木、生垣及びその他屋外植物を刈り込むとき、使用者は生垣用ブレードアセンブリを本体に取付けてバリカンを生垣バリカンとして使用する。芝生を刈り込むとき、使用者は芝生用ブレードアセンブリを本体に取付けてバリカンを芝生バリカンとして使用する。
【０００３】
生垣バリカンには、使用者の手が生垣によって怪我をしないようにするための構造が設けられることが好ましい。例えば、中国の国家強制基準《手持ち型電動工具の安全第二部：枝刈り込みの専用要求》（ＧＢ３８８３.１５−２００７）では、カッタ刃からグリップまでの距離を１２０ｍｍ未満とならないようにすることが要求されている。１２０ｍｍ未満である場合には、グリップとカッタ刃との間にガード板（後述するチップガード）を設けなければならない。カッタ刃からグリップまでの距離を１２０ｍｍ以上に保持する場合、バリカンは大きくなってしまう。そのため手持ち型バリカンの小型化の要求を満たせなくなってしまう場合がある。そのため通常、生垣バリカンの本体には、ブレードアセンブリがある側においてチップガードが取付けられる。しかも安全性を確実に保証するために、通常はボルト等でチップガードが本体に取付けられる。
【０００４】
一方、芝生バリカンには、このような要求はない。しかし芝生バリカンは、ブレードアセンブリの先端が壁又はその他障害物にぶつかった際に、ブレードが破損、あるいは壁又はその他障害物が損傷する恐れがある。このような事態を回避するためにブレードプロテクタは、芝生バリカンの本体におけるブレードアセンブリの近傍に取付けることが望まれている。
【０００５】
そのため特許文献１の園芸用バリカンを使用するときには、以下の操作を行わなければならない。すなわち園芸用バリカンを生垣バリカンとして使用する場合、生垣用ブレードアセンブリを本体に取付け、かつチップガードをスクリュードライバ等の工具によって本体に取付けなければならない。園芸用バリカンを芝生バリカンとして使用する場合は、生垣用ブレードアセンブリを芝生用ブレードアセンブリに交換する。この場合、スクリュードライバ等の工具でチップガードを本体から取り外し、プロテクタを本体に取付けなければならない。
【先行技術文献】
【特許文献】
【０００６】
【特許文献１】中国実用新案第２０１８２１６６８号明細書
【発明の概要】
【発明が解決しようとする課題】
【０００７】
上述するように園芸用バリカンを生垣バリカンと芝生バリカンとの間で切り換えて使用する場合、チップガード及びブレードプロテクタを煩雑な作業によって着脱しなければならず、使用者に不便を来している。しかも交換したチップガード又はブレードプロテクタを収容しなければならず、保管の負担が増えており、ボルト等の部品も紛失しやすい。仮に本体にブレードアセンブリが取付けられた状況において、チップガード又はブレードプロテクタを本体に対して交換する場合、安全性への危惧が増す恐れもある。そのため使用に便利で、かつ安全性が高い園芸用バリカンが従来必要とされている。
【課題を解決するための手段】
【０００８】
１つの特徴において本発明の園芸用バリカンは、原動機を収容する本体と、本体の前面から前側に延出しているブレードアセンブリと、本体に配置されかつ使用者によって把持されるグリップとを備える。グリップは、本体の前部に配置される前グリップと前グリップの後側に配置される後グリップとを含む。あるいはグリップは、後グリップを含み、前グリップを含まない。ブレードアセンブリは、少なくとも１つのブレードが往復動作可能な２つのブレードを備え、原動機で少なくとも１つのブレードが往復動作するように駆動する。グリップが前グリップと後グリップとを含む場合、前グリップとブレードアセンブリとの間にチップガードが位置する。グリップが後グリップを含み、前グリップを含まない場合、本体とブレードアセンブリとの間にチップガードが位置する。本体又はチップガードにブレードプロテクタが配置される。ブレードプロテクタは、平面視の投影においてブレードアセンブリの少なくとも一部を覆う。
【０００９】
したがってバリカンにチップガードとブレードプロテクタを同時に設けることができる。そしてブレードプロテクタは、チップガードを取り外すことなく、本体に直接取付けられる。かくしてブレードプロテクタは、簡易な作業で取外され得る。しかもチップガードとブレードプロテクタを同時に設けることで安全性を高めることもできる。
【００１０】
他の特徴において、ブレードアセンブリは、少なくとも１つのブレードが本体の長手方向に往復動作する第１種のブレードアセンブリと、少なくとも１つのブレードが本体の長手方向と直交する幅方向に往復動作する第２種のブレードアセンブリとを備える。第１種のブレードアセンブリと第２種のブレードアセンブリが交換可能に本体に取付けられる。
【００１１】
したがって本体に第１種のブレードアセンブリを取付けることで、バリカンを例えば生垣バリカンとして利用できる。本体に第２種のブレードアセンブリを取付けることで、バリカンを例えば芝生バリカンとして利用できる。
【００１２】
他の特徴において、第２種のブレードアセンブリを本体に取付けた場合、平面視の投影においてブレードプロテクタの前端が第２種のブレードアセンブリの前端よりも前方に位置する。したがってブレードプロテクタは、第２種のブレードアセンブリよりも先に壁等に当たることができる。そのため第２種のブレードアセンブリが壁等の対象物にぶつかることで生じるブレード前端の損傷または対象物の損傷を防止できる。
【００１３】
他の特徴において、ブレードプロテクタは、本体とチップガードから独立した部材であって、本体又はチップガードに着脱可能に取付けられる。したがってブレードプロテクタを必要に応じて使用できる。例えばブレードアセンブリを芝生用ブレードアセンブリとして利用する場合に、ブレードプロテクタを本体又はチップガードに取付ける。これによりブレードの損傷又は壁等の損傷がブレードプロテクタによって防止される。ブレードアセンブリを生垣用ブレードアセンブリとして利用する場合に、ブレードプロテクタを本体又はチップガードから取外す。これによりブレードの有効長さがブレードプロテクタによって短くなることを防止できる。
【００１４】
他の特徴において、ブレードプロテクタは、中央に貫通部が設けられた板状の保護プレートを有する。ブレードプロテクタは、チップガードが貫通部を貫通した状態で本体に配置される。したがってブレードプロテクタは、チップガードに干渉しないように本体に配置される。ブレードプロテクタは、本体に配置され、本体に保持される。そのためブレードプロテクタが受けた力は、本体によって保持され得る。
【００１５】
他の特徴において、ブレードプロテクタが係止部を有し、本体が係止部と係合可能な係止溝を有する。係止部を係止溝に沿ってスライドさせることで係止部と係止溝が係合し、ブレードプロテクタが本体に取付けられる。したがってブレードプロテクタを簡便にかつ確実に本体に取付けることができる。
【００１６】
他の特徴において、本体の両側部に係止溝が形成される。ブレードプロテクタは、係止溝に係合する２つの係止部と、保護プレートの上面から突出する把持部を有する。ブレードプロテクタは、把持部に力を付与することで、２つの係止部の間の距離が広がるように変形する。したがって例えば使用者が片手で把持部に力を加えることで２つの係止部の間が広がる。これによりブレードプロテクタを本体に対して簡便に着脱できる。
【００１７】
他の特徴において、ブレードプロテクタは、板状の保護プレートと係止部とを有する。チップガードの両側部又は本体の両側部には、係止部に係合する被係止部が設けられている。したがってブレードプロテクタを簡便かつ確実にチップガード又は本体に取付けることができる。
【００１８】
他の特徴において、ブレードプロテクタは、第２種のブレードアセンブリのブレードプロテクトカバーを構成する。したがってブレードプロテクタは、ブレードプロテクトカバーとして兼用することができ、部品点数を節約できる。
【００１９】
他の特徴において、ブレードプロテクタの前端に補強リブが設けられる。したがってブレードプロテクタの強度を確保できる。そのためブレードプロテクタは、ブレードプロテクトカバーとして利用する際において刈り込み時に受ける外力に対して耐えることができる。
【００２０】
他の特徴において、園芸用バリカンは、原動機を収容する本体、ブレードアセンブリ、チップガード、ブレードプロテクタを有する。ブレードアセンブリは、本体の前面から前側へ延出し、かつ原動機の出力によって相対的に往復動する２つのブレードを備える。チップガードは、本体から延出して本体の前面とブレードアセンブリとの間を遮蔽する。ブレードプロテクタは、本体又はチップガードに着脱可能に取付けられ、平面視の投影においてチップガードよりも前方または側方においてブレードアセンブリの少なくとも一部を覆う。例えばブレードプロテクタの幅は、チップガードよりも広く、かつブレードアセンブリの幅よりも広い、あるいは略同じである。これによりブレードプロテクタは、チップガードよりも側方においてブレードアセンブリの少なくとも一部を覆う。
【図面の簡単な説明】
【００２１】
【図１】生垣用ブレードアセンブリが取付けられた第１実施例のバリカンの分解斜視図である。
【図２】芝生用ブレードアセンブリが取付けられた第１実施例のバリカンの分解斜視図である。
【図３】生垣用ブレードアセンブリが取付けられた第１実施例のバリカンの断面図である。
【図４】芝生用ブレードアセンブリを取付けた第１実施例のバリカンの組み立て途中の斜視図である。
【図５】第１実施例におけるブレードプロテクタの斜視図である。
【図６】芝生用ブレードアセンブリを取付けた第１実施例のバリカンの組み立て途中の側面図である。
【図７】芝生用ブレードアセンブリを取付けた第１実施例のバリカンの組み立て途中の平面図である。
【図８】ブレードプロテクタが取付けられた第２実施例のバリカンの斜視図である。
【図９】第２実施例におけるブレードプロテクタの斜視図である。
【図１０】芝生用ブレードアセンブリが取付けられた第２実施例のバリカンの側面図である。
【発明を実施するための形態】
【００２２】
先ず実施例の主な特徴を列記する。本実施例のバリカンは、２種類のブレードアセンブリを備える。第１種のブレードアセンブリは、主に生垣の刈り込みに用いられる生垣用ブレードアセンブリである。第２種のブレードアセンブリは、主に芝生の刈り込みに用いられる芝生用ブレードアセンブリである。生垣用ブレードアセンブリは、生垣の刈り込みに用いられるのみならず、その他樹木各種立ち木、灌木及びその他屋外植物の刈り込みに用いることができる。芝生用ブレードアセンブリは、芝生の刈り込みに用いられるのみならず、その他草花の刈り込みに用いることができる。
【００２３】
本実施例のバリカンは、２種類の安全プロテクタを更に備える。１種類は、チップガードであって、本体の前部に常に取付けられて、使用者の手が生垣等によって怪我してしまうことを防止する。他の１種類は、ブレードプロテクタであって、本体の前部又はチップガードに取付けられる。ブレードプロテクタは、第２種のブレードアセンブリ（芝生用ブレードアセンブリ）をバリカンに取付けてバリカンを使用するときに、ブレードが壁、花壇及び配管等の硬い物体にぶつかって損傷することを防止、またはブレードが木壁、ホース等を傷つけることを防止する。
【００２４】
図１〜７を参照して本発明の第１実施例を説明する。図１は、生垣用ブレードアセンブリ１００（第１種のブレードアセンブリ）が取付けられたバリカン１０の分解図である。図２は、芝生用ブレードアセンブリ２００（第２種のブレードアセンブリ）が取付けられたバリカン１０の分解図である。図３は、生垣用ブレードアセンブリ１００が取付けられたバリカン１０の断面図である。説明の便宜上、図２中ではブレードプロテクタが省略されている。図２ではカム部材６０が図示されているが、図１ではカム部材６０が省略されている。
【００２５】
バリカン１０は、図１，２に示された本体１２と、図１に示された生垣用ブレードアセンブリ１００と、図２に示された芝生用ブレードアセンブリ２００を備える。バリカン１０では、作業に応じてブレードアセンブリ１００、２００が交換され得る。生垣用ブレードアセンブリ１００は、生垣刈り込み時に使用できる。芝生用ブレードアセンブリ２００は、芝生刈り込み時に使用できる。バリカン１０は、アクセサリとして図４に示された集草器１７（図４を参照のこと）等を更に備える。
【００２６】
本明細書では、便宜上、バリカンの長手方向を前後方向、バリカンの幅方向を左右方向としている。ブレードアセンブリが本体から延出する側を前側、前側の反対側を後側とし、本体のブレードアセンブリがある側を下側、本体がある側を上側とする。
【００２７】
図１，２を参照して各ブレードアセンブリ１００、２００について説明する。図１に示すように生垣用ブレードアセンブリ１００は、一対のシャーブレード１１０と、一対のシャーブレード１１０を保持するための第１下プレート１２０と上プレート１３０とを備える。一対のシャーブレード１１０は、第１下プレート１２０及び上プレート１３０により挟持されるとともに、スライド可能に支持される。各シャーブレード１１０には、そのスライド方向に沿って櫛状に並んだ刃先１１２が形成されている。一対のシャーブレード１１０は、これらが相対的に往復運動することにより、その刃先１１２によって生垣の枝葉を切断する。
【００２８】
図２に示すように芝生用ブレードアセンブリ２００は、一対のシャーブレード２１０と、一対のシャーブレード２１０を保持する第２下プレート２２０と支持ピン２３０とを備える。一対のシャーブレード２１０は、支持ピン２３０により第２下プレート１２０に固定されるとともにスイング可能に支持される。各シャーブレード２１０には、そのスイング方向に沿って櫛状に並んだ刃先２１２が形成されている。一対のシャーブレード２１０は、これらが相対的に往復運動することにより、その刃先２１２によって芝生を刈り込む。
【００２９】
各ブレードアセンブリ１００、２００は、ねじ部材又はボトムカバー３０の押圧力によって本体１２に取付けられる。
【００３０】
次に、図１，２を参照して本体１２について説明する。図１，２に示すように本体１２は、ハウジング１４とボトムカバー３０を備える。ハウジング１４には、起動スイッチとしてのトリガ１６、使用者が把持するための後グリップ１８と前グリップ１９、電源としてのバッテリケース２０、生垣刈り込み時に生垣により使用者の手が怪我をするのを防止するチップガード３００、芝生刈り込み時にブレード、壁等が損傷するのを防止するブレードプロテクタ５００（図４参照）が設けられる。後グリップ１８と前グリップ１９は、それぞれグリップを構成する。本体１２は、前グリップ１９を備えても良いし、備えなくても良い。前グリップ１９を備えない場合、後グリップ１８のみでグリップが構成される。
【００３１】
ハウジング１４の底部には、ブレードアセンブリ１００、２００を取付けるための開口部２４が設けられる。ハウジング１４の開口部２４内には、生垣用ブレードアセンブリ１００と芝生用ブレードアセンブリ２００の内のいずれか１つが取付けられる。ブレードアセンブリ１００、２００の内のいずれか１つを取付けた後、ボトムカバー３０をハウジング１４の開口部２４に取付ける。生垣用ブレードアセンブリ１００は、ボトムカバー３０を取付ける前に固定ボルト１４０によってハウジング１４に締付けられる。
【００３２】
続いて、図３を参照して本体１２の内部構造及びバリカン１０の動作過程について説明する。図３は、生垣用ブレードアセンブリ１００が取付けられたバリカン１０を示す。芝生用ブレードアセンブリ２００を取付けたときの本体１２の構造は、生垣用ブレードアセンブリ１００を取付けたときの本体１２の構造と同じである。そのためその図示及び説明を省略する。
【００３３】
図３に示すように本体１２は、バリカン１０の原動機としてのモータ４０、モータ４０に設けられるモータピニオン４２、モータピニオン４２に噛合する二段ギヤ４４、二段ギヤ４４に噛合する最終ギヤ５０を備える。最終ギヤ５０の下側端面に凹部５２が形成され、凹部５２にカム部材６０（図２参照）の一部が収容される。
【００３４】
モータ４０は、トリガ１６を介してバッテリケース２０に電気的に接続される。使用者がトリガ１６を操作すると、モータ４０がバッテリケース２０から供給された電力により回転する。モータ４０が回転すると、モータピニオン４２と二段ギヤ４４を介して最終ギヤ５０が回転する。最終ギヤ５０は、シャフト７０により支持されるとともにシャフト７０を中心に回転する。最終ギヤ５０は、モータ４０により駆動回転される回転部材である。
【００３５】
最終ギヤ５０の下側端面には、最終ギヤ５０に対して回転不能にカム部材６０が固定される。カム部材６０は、最終ギヤ５０と同軸に固定され、最終ギヤ５０と共にシャフト７０を中心に回転する。したがってカム部材６０は、最終ギヤ５０と共にモータ４０により駆動回転される。図１に示すように最終ギヤ５０の下側端面には、二本の連結ピン５４が設けられる（図３には図示せず）。連結ピン５４は、カム部材６０を最終ギヤ５０に対して回転不能に保持する。カム部材６０は、最終ギヤ５０に対して着脱可能であり、ブレードアセンブリ１００、２００を本体１２から取り外すことで、最終ギヤ５０から取り外される。
【００３６】
ブレードアセンブリ１００、２００が本体１２に取付けられることで、ブレードアセンブリ１００、２００の一対のシャーブレード１１０、２１０がカム部材６０に接続される。カム部材６０が回転することで、一対のシャーブレード１１０、２１０がカム部材６０に連動して往復運動する。一対のシャーブレード１１０、２１０は、互いの間が１８０度の位相差で往復運動する。本体１２に生垣用ブレードアセンブリ１００が取付けられる場合、カム部材６０は、第１面が最終ギヤ５０に対面するように本体１２に取付けられる。芝生用ブレードアセンブリ２００が本体１２に取付けられる場合、カム部材６０は、第１面の裏面である第２面が最終ギヤ５０に対面するように本体１２に取付けられる。
【００３７】
図１〜７を参照してチップガード３００とブレードプロテクタ５００について詳細に説明する。図４は、芝生用ブレードアセンブリを取付けた第１実施例のバリカンの組み立て途中の斜視図である。図５は、第１実施例におけるブレードプロテクタの斜視図である。図６は、芝生用ブレードアセンブリを取付けた第１実施例のバリカンの組み立て途中の側面図である。図７は、芝生用ブレードアセンブリを取付けた第１実施例のバリカンの組み立て途中の平面図である。
【００３８】
チップガード３００とブレードプロテクタ５００をハウジング１４に取付けるための構造を以下に説明する。図４に示すようにハウジング１４の前面の下端とボトムカバー３０（図２参照）の間には、延出口１３が設けられる。ブレードアセンブリ１００、２００が本体１２に取付けられると、ブレードアセンブリ１００、２００が本体１２の延出口１３から前方に延出する。そのためブレードアセンブリ１００、２００によって生垣又は芝生を刈り込むことができる。本体１２の前部には、延出口１３よりもわずか上方にチップガード取付部１５が設けられる。チップガード取付部１５は、ハウジング１４の前面の下端に沿って設けられる。
【００３９】
ハウジング１４には、チップガード取付部１５よりわずか上方にブレードプロテクタを取付けるための一対の係止溝１９１が設けられる。一対の係止溝（被係止部）１９１は、ハウジング１４の前部の左右両側部に左右対称に設けられる。一対の係止溝１９１は、ハウジング１４の前側から後下方斜めに延在している。一対の係止溝１９１内のそれぞれには、更に窪んだ凹溝部１９３が設けられる。
【００４０】
続いて、チップガード３００の具体的な構造を説明する。チップガード３００は、硬質樹脂製であって、樹脂成型等により形成され、生垣等を遮るように作用するのであれば、その材質、製造方法は特に限定しない。チップガード３００は、本体１２に固定するための固定部３１０と、生垣を遮るためのシールド板３２０を備える。固定部３１０には、図７に示すボルト３４０が貫通されるねじ穴部が設けられる。ハウジング１４のチップガード取付部１５にも、固定部３１０のねじ穴部に対応する貫通穴部が設けられる。ボルト３４０を固定部３１０のねじ穴部とハウジング１４の貫通穴部にねじ込むことで、固定部３１０がチップガード取付部１５に固定される。
【００４１】
シールド板３２０は、図４に示すように固定部３１０からブレードがある側に向けて斜め上に一体的に延在している。シールド板３２０は、好ましくはブレードがある側に向けて滑らかに窪む板状をなす。シールド板３２０は、言うまでもなく生垣等を遮るように作用するのであれば、その具体的な形状は特に制限しない。しかもシールド板３２０は、チップガード３００をしっかりとハウジング１４に固定できるのであれば、その具体的な取付け方式はねじ部材を用いた取付けに限定するものではない。チップガード３００は、本体１２の前面においてブレードアセンブリ２００よりも上側の位置に配置される。チップガード３００は、本体１２の前面から延出し、本体１２の前面とブレードアセンブリ２００の間を遮蔽する。
【００４２】
続いてブレードプロテクタ５００の具体的な構造を説明する。図４〜７に示すようにブレードプロテクタ５００は、芝生用ブレードアセンブリ２００が取付けられたバリカン１０に装着される。ブレードプロテクタ５００の材質及び製造方法については限定せず、チップガード３００と同じ材質を採用することができる。
【００４３】
ブレードプロテクタ５００は、図５に示すように保護作用する保護プレート５５０と、本体１２に取付くための一対のレグ部５１１を有する。保護プレート５５０は、扇板形状をなし、保護プレート５５０の中央には、チップガード３００を貫通させることができる大きさの貫通部５２０が設けられる。図６，７を参照して分かるようにブレードプロテクタ５００が本体１２に取付けられた状態では、保護プレート５５０は、ブレードアセンブリ２００の延出する平面と略平行である。保護プレート５５０は、投影状態にてブレードアセンブリ２００の一部を覆い、ブレードプロテクタ５００の前端は、ブレードアセンブリ２００よりも前側に位置する。ブレードプロテクタ５００の両側端は、ブレードアセンブリ２００の両側端と同じ、又はブレードアセンブリ２００の両側端よりも外側に位置する。
【００４４】
保護プレート５５０は、必ずしもブレードアセンブリ２００の延出する平面と略平行である必要はなく、ブレードアセンブリ２００の延出方向に角度を有した斜めであっても良い。ブレードプロテクタ５００は、前方、後方、左方、右方の一方向のみでブレードアセンブリ２００よりも外側に位置しても良い。これにより少なくとも一方向においてブレード又は壁の損傷を防止することができる。
【００４５】
保護プレート５５０には、前縁に沿って補強部（補強リブ）５６０が設けられ、補強部５６０によってブレードプロテクタ５００の強度が高められる。保護プレート５５０の後部には、ブレードプロテクタ５００に着脱操作するための一対の把持部５３１が設けられる。一対の把持部５３１は、一定距離離れており、それぞれ保護プレート５５０の表面から上側に突出したリブ状をなしている。一対の把持部５３１は、バリカン１０の幅方向に並設されるが、これに限定されず、後述する効果を実現できるのであれば、その具体的な形状は限定されない。例えば、把持部は前方から見てＵ字状の１つの突起状であっても良い。あるいはバリカン１０の長手方向で断続的に配列された複数の突起状等でも良い。
【００４６】
一対のレグ部５１１は、それぞれ保護プレート５５０の後端から斜め下に延在する。一対のレグ部５１１の対向する内側部のそれぞれに、係止溝１９１の凹溝部１９３に合致する突起部（係止部）５１３が設けられる。一対のレグ部５１１の間の距離は、ハウジング１４の両側部に位置する係止溝１９１の間の距離と合致する。
【００４７】
次に、使用者がブレードプロテクタ５００を本体１２に取付ける手順を説明する。使用者がブレードプロテクタ５００を本体１２に取付ける場合、一対の把持部５３１の間の距離が縮まる方向に親指と人差し指で一対の把持部５３１に対して外側から力を加える。このとき一対の把持部５３１の間に弾性変形が生じ、レグ部５１１が外方に開く。使用者がこの状態を維持したまま、ブレードプロテクタ５００を上方から下方に移動させる。これによりブレードプロテクタ５００の貫通部５２０にチップガード３００が下から上に貫通される。同時にブレードプロテクタ５００を前方から後方に移動させ、レグ部５１１を係止溝１９１に沿ってスライドさせる。レグ部５１１の先端が係止溝１９１の末端に到達した際に、把持部５３１に加えていた力を緩める。これによりレグ部５１１の突起部５１３と係止溝１９１内の凹溝部１９３が互いに係合する。かくしてブレードプロテクタ５００が本体１２に容易に取り付けられる。
【００４８】
本体１２からブレードプロテクタ５００を取り外したい場合は、一対の把持部５３１の間の距離が縮まる方向に親指と人差し指で一対の把持部５３１に対して外側から力を加える。このとき一対の把持部５３１の間に弾性変形が生じ、レグ部５１１が外方に開く。これによりレグ部５１１の突起部５１３と係止溝１９１内の凹溝部１９３との係合が外れる。使用者がこの状態を維持したまま、ブレードプロテクタ５００を下方から上方に移動させる。これによりブレードプロテクタ５００の貫通部５２０に対してチップガード３００が上から下方に外れる。同時にブレードプロテクタ５００を後方から前方に移動させることで、レグ部５１１が係止溝１９１に沿ってスライドする。レグ部５１１が係止溝１９１から完全に外れた後に、把持部５３１に加えていた力を緩める。かくしてブレードプロテクタ５００が容易に本体１２から取り外される。
【００４９】
保護プレート５５０の貫通部５２０は、保護プレート５５０に必要な強度を確保する範囲においてできる限り大きく設定することができる。貫通部５２０を大きくすることで、保護プレート５５０が変形しやすくなり、保護プレート５５０を本体１２に対して着脱しやすくなる。しかも保護プレート５５０を軽量にすることもできる。
【００５０】
第１実施例において、使用者はバリカン１０を芝生バリカンとして利用する際に、チップガード３００を取り外すことなく、ブレードプロテクタ５００を本体１２に直接取付けることができる。そのためバリカン１０の用途を変更するために必要な部品交換の作業が簡素になり、各用途における安全性が十分に得られる。しかも使用者は、片手でブレードプロテクタ５００を本体１２に対して着脱できる。そのため部品交換を簡便にできる。
【００５１】
本形態のバリカン１０によれば、芝生又は生垣を刈り込むときにチップガード３００を取り外すが必要が無い。芝生刈り込み時にブレードプロテクタ５００を増設することで、芝生刈り込み作業をより安全に行うことができる。したがってバリカン１０は、便利に使用でき、かつその構造が簡便である。しかも安全で、ねじの追加、部品の紛失をなくし、安全性への危惧を減らすという効果を達成することもできる。
【００５２】
以上のように第１実施例を説明した。しかし第１実施例は、上記説明に限定するものではなく、各種変形を行うことができる。
【００５３】
変形例としては、ブレードプロテクタ５００にレグ部を１つのみ設ける。本体１２の前部に下方に延在する係止溝を1つ設ける。１つのレグ部と１つの係止溝との係合のみでブレードプロテクタ５００を本体１２に取付ける。
【００５４】
ブレードプロテクタ５００は、扇状板の保護プレート５５０と、保護プレート５５０に形成された貫通部５２０を有する。貫通部５２０の大きさおよび形状は、貫通部５２０の外周縁がチップガード３００の外端に係合するように設定され得る。あるいはブレードプロテクタ５００を本体１２に取付ける際に、ブレードプロテクタ５００に対してチップガード３００が干渉しないように構成される。ブレードプロテクタ５００の大きさおよび形状は、これら構成を達成できる範囲で自由に変更することができる。
【００５５】
続いて、第２実施例について説明する。第２実施例と第１実施例との相違点は、ブレードプロテクタ５００が本体１２に取付けられる代わりに、ブレードプロテクタ６００がチップガード３００に直接取付けられる点である。その他の構造は、第１実施例と同じである。第１実施例と同じ部分については、同じ符号を付して、その説明は省略する。
【００５６】
図８−１０に示すようにブレードプロテクタ６００は、Ｕ字状板の保護プレート６３０と、保護プレート６３０の両端から折り曲げたように延出しているレグ部６１１を有する。レグ部６１１は、チップガード３００に取付けられ、保護プレート６３０は、保護作用をもたらす。
【００５７】
保護プレート６３０は、二次元平面にて湾曲した板状であって、湾曲は、本体１２から離れる方向（前方）に滑らかに窪む。保護プレート６３０は、バリカン１０の幅方向に沿い、バリカン１０の前端の輪郭に倣っている。保護プレート６３０の本体１２から遠い端（前端）には、その端に沿って補強部（補強リブ）６６０が形成される。
【００５８】
保護プレート６３０は、チップガード３００に取付ける際に、全体がチップガード３００の前側に位置する。保護プレート６３０は、ブレードアセンブリ２００の延出平面と略平行であり、ブレードプロテクタ６００の前端がブレードアセンブリ２００の前端よりも前側に位置する。ブレードプロテクタ６００の両側端は、ブレードアセンブリ２００の両側端と同じ、又はブレードアセンブリ２００の両側端よりも外側に位置する。
【００５９】
一対のレグ部６１１は、保護プレート６３０のバリカン幅方向の両端部から後下方に延在する。レグ部６１１の対向する内側部のそれぞれには挿入溝６２１が設けられる。挿入溝６２１に対応するチップガード３００の両側縁（両側部）には、挿入溝６２１に係合可能な挿入ストリップ３２１が設けられる。レグ部６１１とチップガード３００との接続方式は、挿入溝６２１と挿入ストリップ３２１の接続方式に限らず、レグ部６１１とチップガード３００が係合することで共に固定できればよい。ブレードプロテクタ６００のレグ部６１１とチップガード３００の挿入ストリップ３２１によって係止部と被係止部が構成される。
【００６０】
ブレードプロテクタ６００をチップガード３００に取付ける場合、ブレードプロテクタ６００の一対の挿入溝６２１を一対の挿入ストリップ３２１に位置合わせする。その後、ブレードプロテクタ６００を下方に移動させ、ブレードプロテクタ６００の両端をチップガード３００の両側部に挿入する。ブレードプロテクタ６００を取り外す際には、ブレードプロテクタ６００に上向きの外力を付与して、ブレードプロテクタ６００をチップガード３００から外す。
【００６１】
変形例としては、ブレードプロテクタのレグ部の挿入溝と係合する挿入ストリップをチップガードではなく、本体１２の両側部に設けることができる。したがって挿入溝と挿入ストリップとの係合によって、ブレードプロテクタを本体１２に取付けることができる。
【００６２】
第２実施例を採用すると、第１実施例でもたらす作用をもたらす以外に、本体１２に係止溝を加工する必要がなくなる。そのため本体１２の構造が簡易になり、コストを削減することができる。軽量化を図ることもできる。
【００６３】
以上、第１実施例及び第２実施例について詳細に説明した。しかし、言うまでもなく、当業者は上記開示を基礎として変形を行うことができる。
【００６４】
例えば、ブレードプロテクタ６００をブレードアセンブリ２００のブレードプロテクトカバーとして構成してもよい。すなわちブレードプロテクタ６００とブレードアセンブリ２００を一部材で構成しても良い。このように、ブレードプロテクトカバーとブレードプロテクタを共用することで、構造をより簡単とし、かつ部品の紛失を防止することができる。
【００６５】
第１実施例及び第２実施例では、ブレードプロテクタ５００とブレードプロテクタ６００が本体１２又はチップガード３００に着脱可能に取付けられる。この構成に代えて、ブレードプロテクタ５００とブレードプロテクタ６００が本体１２又はチップガード３００に一体に形成されても良い。ブレードプロテクタ５００とブレードプロテクタ６００は、ブレードアセンブリに干渉しないようにバリカンの本体に設けられる。そのためブレードアセンブリを交換使用する際に、ブレードプロテクタ及びチップガードを本体から取外す必要がない。
【００６６】
電源としては外付け電源としても良い。この場合、本体の後部に電源線を設け、電源線が商用電源網に接続され、商用電源網からの電力がバリカンに供給され得る。
【００６７】
上記したものは、単に本発明の好ましい具体的な実施形態である。したがって本発明の保護範囲は、これに限定されるものではなく、当業者が本発明に開示する技術範囲内で、変化又は置換を容易に想到することができるものも含む。
【００６８】
本発明は、芝生、生垣等を刈り込むときに、必要性に応じて２種類のブレードアセンブリを交換して使用できる手持ち型バリカンに用いることができる。
【符号の説明】
【００６９】
１０   バリカン
１２   本体
１３   延出口
１４   ハウジング
１５   チップガード取付部
１６   トリガ
１７   集草器
１８   後グリップ
１９   前グリップ
２０   バッテリケース
２４   開口部
３０   ボトムカバー
４０   モータ
６０   カム部材
７０   シャフト
１００ 生垣用ブレードアセンブリ
１９１ 係止溝（被係止部）
２００ 芝生用ブレードアセンブリ
３００ チップガード
３１０ 固定部
３２０ シールド板
３２１ 挿入ストリップ（被係止部）
３４０ ボルト
５００，６００       ブレードプロテクタ
５１１，６１１       レグ部
５１３ 突起部（係止部）
５２０ 貫通部
５３１ 把持部
５５０ 保護プレート
５６０ 補強部
６２１ 挿入溝（係止部）
６３０ 保護プレート
【図１】
2018033446.tif 000003
【図２】
2018033446.tif 000004
【図３】
2018033446.tif 000005
【図４】
2018033446.tif 000006
【図５】
2018033446.tif 000007
【図６】
2018033446.tif 000008
【図７】
2018033446.tif 000009
【図８】
2018033446.tif 000010
【図９】
2018033446.tif 000011
【図１０】
2018033446.tif 000012